(57)【要約】【課題】補助ギアボックスまたは発電機の除去または交換のような保守を可能にするアクセスドアを提供する。【解決手段】実施例１３０では、アクセスドア１４２がヒンジ１４４でハウジング部１４０に回動可能に取り付けられている。数個のラッチ要素１４７が、ハウジング部１４２の２つの突起部１４６に掛けられる。概略的に示されるように、全体のファンダクトドア３３が、軸２００を中心に回動する。全体のファンダクト３３を回動させることなく、アクセスドア１４２が、内部構成要素３４へのアクセスを得るように開位置（２点鎖線で示す）に回動される。本発明は、構成要素３４の位置がナセル３０の端部の軸方向位置に近いものとなる短いナセルを備えたガスタービンエンジンに特に適している。【選択図】図３
2008298069.tif 000002
【特許請求の範囲】
【請求項１】
中心軸を取り囲むナセルハウジングと、
前記ナセルハウジングの一部である回動可能なドアと、
を備え、
前記回動可能なドアが、ガスタービンエンジンの内部構成要素を取り囲む内部ハウジングを画定し、該内部ハウジングが、前記回動可能なドアの一部として回動可能であるガスタービンエンジン用のナセルであって、
前記回動可能なドアと独立して動作可能であり、かつ前記内部ハウジング内の構成要素へのアクセスをもたらすアクセスドアを備えることを特徴とするナセル。
【請求項２】
前記アクセスドアが、前記回動可能なドアとともに動作可能であることを特徴とする請求項１に記載のナセル。
【請求項３】
前記アクセスドアが、前記回動可能なドアに対して回動可能であることを特徴とする請求項２に記載のナセル。
【請求項４】
前記回動可能なドアが、前記中心軸に平行な軸を中心に各々が独立して回動可能な少なくとも２つのファンダクトドアであり、該少なくとも２つのファンダクトドアの各々が、前記ファンダクトドアに対して回動可能なアクセスドアを保持することを特徴とする請求項３に記載のナセル。
【請求項５】
前記アクセスドアが、前記中心軸に平行な軸を中心に回動することを特徴とする請求項４に記載のナセル。
【請求項６】
前記アクセスドアが、前記中心軸に平行な軸に垂直な軸を中心に回動することを特徴とする請求項１に記載のナセル。
【請求項７】
ファン、前記ファンの下流に位置する中央コアおよび該中央コアを取り囲む内部ハウジングと、
前記内部ハウジングを取り囲むナセルであって、該内部ハウジングおよび前記ナセルの少なくとも一部が、前記内部ハウジング内へのアクセスをもたらす回動可能なドアによって構成されてなるナセルと、
前記内部ハウジング内に位置する補助の構成要素と、
前記回動可能なドアを開けることなく、前記補助の構成要素へのアクセスをもたらすアクセスドアと、
を備えることを特徴とするガスタービンエンジン。
【請求項８】
前記アクセスドアが、前記回動可能なドアとともに動作可能であることを特徴とする請求項７に記載のガスタービンエンジン。
【請求項９】
前記アクセスドアが、前記回動可能なドアに対して回動可能であることを特徴とする請求項８記載のガスタービンエンジン。
【請求項１０】
前記回動可能なドアが、前記中心軸に平行な軸を中心に各々が独立して回動可能な少なくとも２つのファンダクトドアを含み、該少なくとも２つのファンダクトドアの各々が、前記ファンダクトドアに対して回動可能なアクセスドアを保持することを特徴とする請求項９に記載のガスタービンエンジン。
【請求項１１】
前記アクセスドアが、前記中心軸に平行な軸を中心に回動することを特徴とする請求項１０に記載のガスタービンエンジン。
【請求項１２】
前記アクセスドアが、前記中心軸に平行な軸に垂直な軸を中心に回動することを特徴とする請求項７に記載のガスタービンエンジン。
【請求項１３】
前記アクセスドアが、補助の構成要素の少なくとも１つを取り除くほど大きい開口部を提供することを特徴とする請求項７に記載のガスタービンエンジン。
【請求項１４】
前記補助の構成要素が、補助のギアボックスおよび発電機の少なくとも１つを含むことを特徴とする請求項１３に記載のガスタービンエンジン。
【請求項１５】
ガスタービンエンジンを保守する方法であって、
ファンと、該ファンの下流に位置する内部コアと、を設けるステップと、
前記内部コアを取り囲む内部ハウジングを設けるステップと、
前記内部ハウジングを取り囲むナセルを設けるステップであって、該ナセルおよび該内部ハウジングの少なくとも一部が、回動可能なドアによって構成され、該回動可能なドアが、前記内部ハウジング内および該内部ハウジング内に位置する補助の構成要素へのアクセスをもたらすように回動可能であるステップと、
前記回動可能なドアを閉じた状態で、保守のために前記補助の構成要素へのアクセスをもたらすために前記回動可能なドアに対して動くようにアクセスドアを設けるステップと、
を備えることを特徴とする方法。
【請求項１６】
前記アクセスドアが、前記回動可能なドアとともに回動可能であることを特徴とする請求項１５に記載の方法。
【請求項１７】
前記補助の構成要素が、前記アクセスドアが開いているときに、該アクセスドアによって設けられる開口部を通って除去されることを特徴とする請求項１５に記載の方法。
【請求項１８】
前記補助の構成要素が、補助のギアボックスおよび発電機の少なくとも１つを含み、該少なくとも１つの構成要素が、前記アクセスドアが開いているときに設けられる開口部によって除去されることを特徴とする請求項１７に記載の方法。
【発明の詳細な説明】
【技術分野】
【０００１】
本発明は、ガスタービンエンジンの内部ハウジング内に設けられるとともに、カウルまたはファンダクトドアを開くことなく、内部構成要素へのアクセスをもたらすアクセスドアに関する。
【背景技術】
【０００２】
ガスタービンエンジンは、空気を圧縮機に搬送するファンを含むことが知られている。空気が圧縮機内で圧縮され、下流に流れ燃料と混合され、燃焼器セクション内で燃焼される。この燃焼後の生成物は、タービンロータを通過し、タービンロータを回転させる。ファンによって搬送される空気の一部は、エンジンコアの周囲に位置するバイパスダクトに流入し、圧縮機には搬送されない。この空気によって、このようなガスタービンエンジンにおける推力の大部分を得る。
【０００３】
ナセルは、ファンを取り囲み、かつ内部ハウジングとともにバイパスダクトを画定する。内部ハウジングは、エンジンコアを取り囲む。一般的に、ファンカウルドアおよびファンダクト／スラストリバーサドア（以下、ファンダクトドアと記す）がナセル内に設けられる。これらのドアが、内部ハウジング内の内部構成要素へのアクセスをもたらすように開位置に回動される。一般的に、これらのドアが回動するときに、内部ハウジングの一部を保持し、内部構成要素へのアクセスをもたらす。したがって、内部構成要素へのアクセスをもたらすために、ファンカウルドアまたはファンダクトドアは、開位置に回動されなければならない。これは、特に、ギアボックスまたは発電機のような内部構成要素を日常的に保守することが必要な場合に、扱いにくく、時間の浪費である。
【発明の開示】
【発明が解決しようとする課題】
【０００４】
局所的に位置する小さなアクセスドアは、オイルタンクの充填や発電機のオイルレベルの視覚的な確認のような簡単な保守を容易にするように、ガスタービンエンジンに組み込まれる。しかし、これらのアクセスドアは、補助のギアボックスまたは発電機の除去または交換のような保守を可能にするほど大きくはない。
【課題を解決するための手段】
【０００５】
本発明の開示された実施例では、アクセスドアが、内部ハウジング内に設けられており、ファンダクトドアおよびファンカウルドアとは独立して動作することができる。この独立して動作可能なドアは、内部ハウジング内の構成要素へのアクセスをもたらす。開示された実施例では、構成要素は、ギアボックスや発電機を含む。開示された一実施例では、独立して動作可能なアクセスドアは、ファンダクトドアとともに動作するが、ファンダクトドアが閉位置にある状態で開位置に動作可能である。
【発明を実施するための最良の形態】
【０００６】
図１にガスタービンエンジン２０を示す。周知のように、ファン２４は、中心軸２２を中心に回転する。周知のように、内部コア２６は、圧縮機セクション、燃焼器セクションおよびタービンセクションを備える。ファン２４からの空気の一部は、コア２６に搬送される。排気ノズル２８は、コアエンジンガス流を排気する。ファン空気の大部分は、バイパスダクト２５に搬送される。バイパスダクト２５は、ナセル３０と内部ハウジング３２の外側周縁部との間に画定される。ファンカウルドア３１とファンダクトドア３３がナセル３０内に含まれる。
【０００７】
図示されるように、補助ギアボックス、発電機などを含む内部構成要素が存在する。これらの構成要素は、ハウジング３２内に取り付けられる。
【０００８】
図２に示されるように、従来技術では、ファンダクトドア３３は、内部ハウジング部３８，４０、ヒンジビーム３５、パイロン３６およびラッチビーム４２を備える。ハウジング部３８，４０は、ハウジング３２の一部である。ファンダクトドアは、中心軸２２の対向する周方向の面に取り付けられる一対の構造を一般的に備える。ドア３３は、ヒンジビーム３５で蝶番式に取り付けられ、ラッチビーム４２で掛け金を掛けられている。従来技術では、内部ハウジング３２の内部へのアクセスを得るために、ラッチビーム４２がラッチを解放するように操作される必要があり、全体のファンダクトドアが開位置に回動される必要がある。これは、大きな労働力を要する。
【０００９】
本発明は、労働量の必要性を簡素化し、内部構成要素３４へのアクセスを得ることを目的としている。図３に示されるように、実施例１３０では、アクセスドア１４２がヒンジ１４４でハウジング部１４０に回動可能に取り付けられている。即ち、従来技術のハウジング部４０が、ハウジング部１４０およびアクセスドア１４２を含むように変更されている。数個のラッチ要素１４７が、ハウジング部１４２の２つの突起部に掛けられる。概略的に示されるように、全体のファンダクトドアが、軸２００を中心に回動する。全体のファンダクトを回動させることなく、アクセスドア１４２が、内部構成要素３４へのアクセスを得るように開位置（２点鎖線で示す）に回動される。本発明は、構成要素３４の位置がナセルの端部の軸方向位置に近いものとなる短いナセルを備えたガスタービンエンジンに特に適している。
【００１０】
図４は、他の実施例１５０を示す。ここで、アクセスドア１５４は、図３の実施例におけるヒンジ１４４の軸に概ね直交して延びるヒンジ軸１５２を中心に回動する。つまり、軸１５２は、中心軸２２に平行な軸と直交している。
【００１１】
従来技術では、潤滑システムなどへのアクセスのような様々な機能用のアクセスドアを設けることが知られている。しかし、これらのアクセスドアは、補助ギアボックスまたは発電機のような内部構成要素の保守および除去を容易にするように設けられて来なかった。
【００１２】
アクセスドアが、回動可能に取り付けられるように図３および図４に示されているが、これらのアクセスドアは、容易に取り外し可能であり、適切な方法で固定できる。
【００１３】
補助ギアボックスまたは発電機のような補助の構成要素へ単にアクセスすることが望ましい場合に、例えば、アクセスドアは開かれ、ファンダクトドアは閉じたままである。この位置において、保守および除去するために構成要素にアクセスできる。ファンダクトドアを開く必要がなく、これにより、従来技術に比べてアクセスを得ることが簡素化される。
【００１４】
アクセスドアが、ファンダクトドアの一部として示されているが、カウルドアの一部であってもよく、または両方のドアから離れていてもよい。
【００１５】
本発明のいくつかの実施例を開示してきたが、当業者であれば、特定の修正が本発明の範囲に含まれることを理解するであろう。
【図面の簡単な説明】
【００１６】
【図１】ガスタービンエンジンの概略図である。
【図２】従来技術のファンダクトドア構造を示す図である。
【図３】本発明のファンダクトドアの断面図である。
【図４】代替の実施例を示す図である。
【図１】
2008298069.tif 000003
【図２】
2008298069.tif 000004
【図３】
2008298069.tif 000005
【図４】
2008298069.tif 000006